(57)【要約】【課題】  携帯電話や身の回りの小物などのグッズを専門の塗装業者に依頼することなく、その場で簡単に他人との差別化を図ったオリジナルグッズとすることができ、しかも背景が透けて見えたり、印刷が不鮮明にならないようにした装飾シールのプリント供給システムを提供することを目的とする。【解決手段】  携帯電話など被プリント物体６の画像データを入力し、装飾シール５にプリントされる貼付画像データを入力し、前記貼付画像を合成あるいは編集し、該合成あるいは編集された画像を前記装飾シール５にプリントアウトした後、該装飾シール５を前記被プリント物体６に貼り付けるようにした装飾シールのプリント供給システムであって、前記装飾シール５が剥離可能な裏紙５ｃを取り付けた合成樹脂製の透明シートであり、該装飾シール５に前記貼付画像を反転印刷するとともに、該印刷面にホワイトシール７をラミネートした。【選択図】図１
2008254407.tif 000002
【特許請求の範囲】
【請求項１】
被プリント物体の画像データを入力し、装飾シールにプリントされる貼付画像データを入力し、前記被プリント物体画像に前記貼付画像を重ね表示し、該被プリント物体画像に対して貼付画像を縮小、拡大、移動するとともに、該貼付画像に文字及び図形を合成あるいは編集し、該合成あるいは編集された画像を前記装飾シールにプリントアウトした後、該装飾シールを前記被プリント物体に貼り付けるようにした装飾シールのプリント供給システムであって、前記装飾シールが剥離可能な裏紙を取り付けた合成樹脂製の透明シートであり、該装飾シールに前記貼付画像を反転印刷するとともに、該印刷面にホワイトシールをラミネートしたことを特徴とする、装飾シールのプリント供給システム。
【発明の詳細な説明】
【技術分野】
【０００１】  本発明は、携帯電話や身の回りの小物などのグッズにプリントシールを貼り付けるようにした装飾シールのプリント供給システムに関する。
【背景技術】
【０００２】  最近では、携帯電話や身の回りの小物などのグッズを、他人と差別化を図るために所望のデザインや所望のカラーに装飾し、世界に一つしかないオリジナルグッズとして楽しむ傾向がある。これを実現する方法として塗装（エアーブラシ、筆等）を行ったり、塩化ビニル系等の樹脂フィルム製のシールに印刷し、このシールを貼り付けることがある。
【発明の開示】
【発明が解決しようとする課題】
【０００３】  しかしながら、塗装を行うためには専門の塗装業者に依頼するなど所定期間預け出さなければならず、その間、携帯電話等を使用できないといった煩わしさがある。また、市販のシールに希望するデザイン等を印刷し、この印刷されたシールを携帯電話等に貼り付ける場合もシール自体が透明であるため背景が透けて見えたり、ボディが黒い場合は印刷が鮮明にならないなどの不具合がある。【０００４】  本発明は、上記課題に鑑みてなされたものであって、その目的は、携帯電話や身の回りの小物などのグッズを専門の塗装業者に依頼することなく、その場で簡単に他人との差別化を図ったオリジナルグッズとすることができ、しかも背景が透けて見えたり、印刷が不鮮明にならないようにした装飾シールのプリント供給システムを提供することにある。
【課題を解決するための手段】
【０００５】  上記のような目的を達成するために、本発明の装飾シールのプリント供給システムは、被プリント物体の画像データを入力し、装飾シールにプリントされる貼付画像データを入力し、前記被プリント物体画像に前記貼付画像を重ね表示し、該被プリント物体画像に対して貼付画像を縮小、拡大、移動するとともに、該貼付画像に文字及び図形を合成あるいは編集し、該合成あるいは編集された画像を前記装飾シールにプリントアウトした後、該装飾シールを前記被プリント物体に貼り付けるようにした装飾シールのプリント供給システムであって、前記装飾シールが剥離可能な裏紙を取り付けた合成樹脂製の透明シートであり、該装飾シールに前記貼付画像を反転印刷するとともに、該印刷面にホワイトシールをラミネートしたことを特徴とするものである。
【発明の効果】
【０００６】  上記構成の本発明によれば、携帯電話や身の回りの小物などのグッズを専門の塗装業者に依頼することなく、その場で簡単に他人との差別化を図ったオリジナルグッズとすることができる。また本発明によれば、簡単に装飾シールを携帯電話や身の回りの小物などのグッズに貼り付けることができ、しかも背景が透けて見えたり、印刷が不鮮明にならないようにした装飾シールのプリント供給システムを提供することができる。
【発明を実施するための最良の形態】
【０００７】  以下、図面を参照しながら、本発明に係る実施の形態について説明する。【０００８】＜イ＞本システム（図１）
本システムは、ハウジング１、ラミネーター３、シール貼付装置４などからなる。ハウジング１には、被プリント物体（携帯電話や身の回りの小物など装飾シール５を貼り付けたい商品）６の画像データを入力する撮影用のカメラ１０、装飾シール５に貼付画像をプリントするための貼付画像データを入力する貼付画像入力装置１１、ディスプレイ装置１２、シール発行口１４、コイン投入口１５、スピーカ１６等が備えられ、内部にパソコン本体部２及びプリンタ（インクジェットプリンタ）１７等が設けられている。【０００９】＜ロ＞装飾シール（図６）
装飾シール５は、多延性のある透明な塩化ビニル系等の合成樹脂製シート材またはフィルム材５ａで、その表面を印刷結果が良好となるような面、例えばインキを塗布するに適した材質で非光沢面５ｂとなるように表面処理が施されてあり、裏面には台紙となる裏紙５ｃを容易に剥離可能に貼着してある。後述するように装飾シール５に反転印刷し、裏紙５ｃを剥がして印刷面を被プリント物体６に貼り付けるのであるが、背景が透けて見えないようにするために、装飾シール５の印刷面にホワイトシール７をラミネーター３でラミネート加工する。このホワイトシール７は、透明な塩化ビニル系等の合成樹脂製シート材またはフィルム材７ａに白い微粒子材７ｂで表面処理を施したホワイト面７ｂを有しており、裏面には台紙となる裏紙７ｃを容易に剥離可能に貼着してある。【００１０】＜ハ＞貼付画像入力装置（図１）
貼付画像入力装置１１は、例えば撮影用カメラ１１ａや記録メディア入力装置１１ｂである。撮影用カメラ１１ａはユーザーを写真撮影し、貼付画像データを出力する。記録メディア入力装置１１ｂは、各種のメモリカードや記録媒体等の記録メディアから画像データを読み取るもので、カードリーダ、ＣＤ／ＤＶＤドライブ、赤外線ポート、スキャナー等を用いることができる。【００１１】＜ニ＞ディスプレイ装置（図１）
ディスプレイ装置１２はタッチパネル１３を兼ねており、タッチ操作により画像の選択、画像の合成・編成等の各種の操作入力ができる。ディスプレイ１２には、画像編集処理における各種メッセージや各種編集ツール、編集対象の画像などが表示され、タッチペン（または指）をタッチパネル１３に接触させることによって、入力操作が可能になる。各種操作上のガイダンス音声や効果音がスピーカ１６より出力される。【００１２】＜ホ＞パソコン本体部（図２）
パソコン本体部２には、カメラ１０、１１ａの撮影動作を制御すると共に、撮影された画像データを画像処理回路２２へ送出するカメラ制御回路２０と、装置全体の制御を行う中央処理装置（ＣＰＵ）２１と、画像データの編成処理を行う画像処理回路２２と、画像合成処理のプログラムを含む各種のアプリケーションソフト等が格納され、また各種画像データが一時記録されるメモリ回路２３と、貼付画像入力装置１１を制御する制御部２４と、プリンタ用インターフェース２５とが設けられている。２６は、各回路要素間のデータの伝送を行うデータパスである。【００１３】＜ヘ＞シール貼付装置（図３）
シール貼付装置４は、所望の画像をプリントした装飾シール５を被プリント物体６へ貼り付けるもので、本体４０に作業台４４及び真空ボックス４５が設けられ、蓋４１にヒータ４２及び弾力性のあるマット部材４３が設けられている。真空ボックス４５は、作業台４４との間に真空吸引のための小孔４６が多数あけられ、下方に吸引ホース４７を介して真空ポンプ４８に接続している。【００１４】  図３（Ａ）は装飾シール５の貼付準備状態を示し、作業台４４の上に熱可塑性接着剤層を塗布した被プリント物体（携帯電話）６を載せ、後述するようにプリントした装飾シール５の印刷面が被プリント物体６側となるようにこれに被せている。次に図３（Ｂ）に示すように蓋４１を下降し、加熱されたマット４３が装飾シール５を覆うとともに、真空ポンプ４８で真空吸引することで、被プリント物体６の表面に沿って装飾シール５が延伸し、熱可塑性接着剤層が溶融される。その後、蓋４１を上昇させて装飾シール５からマット４３を引き離すと、熱可塑性接着剤層の温度が下がって硬化し、装飾シール５が被プリント物体６に貼り付けられる。【００１５】＜ト＞作用
ユーザー自身の写真に別の写真や文字を合成してプリントした装飾シール５を、被プリント物体６に貼り付ける場合について、図４のフローチャートに基づいて述べる。【００１６】  先ずコイン投入口１５に所定の料金を投入し（ステップＳ１）、タッチパネル１３を操作して被プリント物体６をカメラ１０で写真撮影する。このように撮影した画像データ（被プリント物体画像）をメモリ回路２３に保存する（ステップＳ２）。【００１７】  次に装飾シール５にプリントするユーザーの画像（貼付画像）をその場で写真撮影か、お気に入りの写真を読み込むかをタッチパネル１３で選択する（ステップＳ３）。その場で撮影の場合はカメラ１１ａで写真撮影する（ステップＳ４）。記録メディア、例えばデジカメ等で既に撮影済みの写真の場合は、メモリデータを記録メディア入力装置（カードリーダ）１１ｂで読み込む（ステップＳ５）。タッチパネル１３を操作して読み込んだ画像データの一覧をディスプレイ装置１２上に表示させる。一覧のうち希望するお気に入りのものをタッチして画像データを選択すると（ステップＳ６）、その画像データがメモリ回路２３に読み込まれる（ステップＳ７）。【００１８】  なお、ステップＳ５のメモリデータの読み込みのほかにＣＤ、ＤＶＤ、紙、携帯電話（赤外線）等から読み込むこともでき、この場合のフローを図５に示す。ＣＤ／ＤＶＤドライブは、メモリデータと同じように一覧を表示し、読込画像データを選択した上で読み込まれる（ステップＳ５−２〜Ｓ５−４、Ｓ６、Ｓ７）。スナップ写真等の紙の場合は、カメラ１０またはスキャナー（図示せず）で用紙データを読み込む（ステップＳ５−５）。携帯電話（赤外線）からの画像データは赤外線ポート（図示せず）から読み込む（ステップＳ５−６）。上記のいずれからも画像データを読み込まない場合は、メモリ回路２３に格納されている背景画像データから希望するものを選択し、読み込む（ステップＳ５−７）。【００１９】  読み込んだ貼付画像の背景等を修正する場合は（ステップＳ８）、タッチパネル１３で編集モードに切り替え、タッチペンを用いて貼付画像の背景画像を修正する（ステップＳ９）。次にユーザー自身の写真にアイドルやスターなど芸能人の写真、あるいは景色の写真等を合成する場合は、次の画像データを読み込むかどうかを判断し（ステップＳ１０）、読み込む必要があれば、作業は前記ステップＳ３に戻り、同様の操作を行う。読み込む必要がない場合は、ステップＳ１１へ進む。ステップＳ１１では、ステップＳ２で読み込んだ被プリント物体画像をメモリ回路２３から読み出してディスプレイ１２に表示する。【００２０】  次いでタッチパネル１３で編集モードに切り替え、被プリント物体画像に貼付画像（１枚または２枚。２枚の場合は、合成手段により合成して表示する）を重ねて表示し（ステップＳ１２）、被プリント物体画像に対して貼付画像の大きさや貼付位置が希望どおりか確認する。希望どおりでない場合はタッチペンで貼付画像を縮小または拡大したり、貼付画像を移動して貼付位置を修正する（ステップＳ１３）。【００２１】  落書きを行う場合は、落書モード（文字入力モード）を起動させ、合成画像上にタッチペンを用いて合成用の文字列（自筆の文字、図形等）を入力し、文字情報を合成手段により合成してディスプレイ１２に表示する（ステップＳ１４）。合成された文字情報（フォント・サイズ・文字色など）を編集する場合には、文字情報編集モードに切り替えて、タッチペンにより文字情報の修正を行う。
以上の処理により、ユーザーが撮影した画像データ及びこの画像データに付加された文字情報を合成した貼付画像を作成することができる。【００２２】  次に、貼付画像をプリントするかを確認してＯＫであれば、ディスプレイ画面１２の「プリント」ボタンを押す。これにより、インターフェース２５に当該貼付画像が送信され、プリンタ１７により装飾シール５に文字やイラスト等が左右反転した貼付画像が印刷され（ステップＳ１５、図６（Ａ））、シール発行口１４から排出される。もう１枚プリントする場合は（ステップＳ１６）、コインを投入し（ステップＳ１７）、同様にディスプレイ画面１２の「プリント」ボタンを押す。【００２３】  反転印刷した装飾シール５の印刷面にホワイトシール７のホワイト面７ｂを重ね合わせ（図６（Ｂ））、これらをラミネーター３に通すことで白い微粒子材７ｂが印刷面に熱融着される。合成樹脂製シート材７ａとともに裏紙７ｃを剥がし、また装飾シール５の裏紙５ｃを剥がし、印刷面が携帯電話等の被プリント物体６に向くようにこれに被せ、前記したようにシール貼付装置４を操作して被プリント物体６に貼り付ける。装飾シール５の印刷面と被プリント物体６との間に白い微粒子材７ｂが介在されることによって、貼り付けた装飾シール５の下側の背景が透けて見えることがなく、またボディが黒い携帯電話等に装飾シール５を貼り付けた場合でも印刷面が鮮明に見え、デラックスな感じを与えることができる。図６（Ｃ）は装飾シール５から裏紙５ｃを剥がし、印刷面の反対側から見た図で、この図が被プリント物体６のデザインとなる。【００２４】  なお、ボディが白い場合や背景を透き通らせたい場合は、ホワイトシール７を使用することなく、プリントされた装飾シール５から裏紙５ｃを剥がし、印刷面が携帯電話等の被プリント物体６に向くようにこれに被せ、前記したようにシール貼付装置４を操作して被プリント物体６に貼り付ける。【００２５】  また、シール貼付装置４を使用することなく、手動で装飾シール５を携帯電話等の被プリント物体６の表面に押し当て、ドライヤー等の加熱器具により適度な加熱を行いつつ、ゆっくりと延ばしながら、貼り付けてもよい。【００２６】  このようにして、本発明によればお気に入りの写真画像やこれらの合成画像を装飾シール５にプリントアウトすることができ、この装飾シール５をその場で携帯電話など身の回りのグッズに貼り付けて、世界に一つしかないオリジナルグッズとして楽しむことができる。また本発明によれば装飾シール５を貼り付けた携帯電話等の被プリント物体６の本体を装飾するのみならず、本体表面を保護し、表面に細かい傷がつくことを防止するとともに防水効果、耐油、耐薬品性を高める。
【図面の簡単な説明】
【００２７】
【図１】装飾シールのプリント供給システムを示す概略斜視図。
【図２】装飾シールのプリント供給システムの回路構成を示すブロック図。
【図３】シール貼付装置を示す概略図で、（Ａ）は装飾シールの貼付準備状態を示し、（Ｂ）は装飾シールの貼付状態を示す。
【図４】装飾シールのプリント供給システムの操作手順を示すフローチャート。
【図５】各種記録メディアから画像データを読み込む場合のフローチャート。
【図６】装飾シールの各状態を示す図で、（Ａ）は装飾シールの印刷面を示し、（Ｂ）は装飾シールの印刷面にホワイトシールを重ね合わせる状態を示し、（Ｃ）は装飾シールから裏紙を剥がし、印刷面の反対側から見た図。
【符号の説明】
【００２８】１・・・・ハウジング
１０・・・被プリント物体画像入力装置（カメラ）
１１・・・貼付画像入力装置
１２・・・ディスプレイ装置
１３・・・タッチパネル操作部
２・・・・パソコン本体部
２０・・・カメラ制御回路
２２・・・画像処理回路
２３・・・メモリ回路
３・・・・ラミネーター
４・・・・シール貼付装置
４２・・・ヒータ
４４・・・作業台
４５・・・真空ボックス
５・・・・装飾シール
６・・・・被プリント物体
７・・・・ホワイトシール
【図１】
2008254407.tif 000003
【図２】
2008254407.tif 000004
【図３】
2008254407.tif 000005
【図４】
2008254407.tif 000006
【図５】
2008254407.tif 000007
【図６】
2008254407.tif 000008